(57)【要約】【課題】レンズの光軸に対する撮像素子の撮像面の傾きを調整するための金属製のネジ形成部材が、レンズを保持する樹脂製のレンズ鏡筒に固定されていても、ネジ形成部材をレンズ鏡筒に固定するときのレンズ鏡筒の割れを防止することが可能な撮像装置を提供する。【解決手段】この撮像装置は、樹脂製のレンズ鏡筒３と、撮像素子を保持する素子ホルダ５と、レンズの光軸に対する撮像素子の撮像面の傾きを調整するための複数の調整機構７とを備えている。調整機構７は、メネジ８ａが形成されレンズ鏡筒３に固定される金属製のネジ形成部材８と、光軸方向で素子ホルダ５に挿通されてメネジ８ａに螺合する調整用ネジ９と、レンズ鏡筒３に対して光軸方向の一方側へ素子ホルダ５を付勢する付勢部材１１とを備えている。レンズ鏡筒３には、ネジ形成部材８が挿入される挿入穴３ｄが形成され、ネジ形成部材８は、固定用ネジ１０によってレンズ鏡筒３に固定されている。【選択図】図４
2019184653.tif 000002
【特許請求の範囲】
【請求項１】
レンズを保持する樹脂製のレンズ鏡筒と、撮像素子を保持するとともに前記レンズの光軸方向における前記レンズ鏡筒の一端側に取り付けられる素子ホルダと、前記レンズの光軸に対する前記撮像素子の撮像面の傾きを調整するための複数の調整機構とを備え、
前記調整機構は、メネジが形成されるとともに前記レンズ鏡筒に固定される金属製のネジ形成部材と、前記光軸方向で前記素子ホルダに挿通されるとともに前記メネジに螺合する調整用ネジと、前記レンズ鏡筒に対して前記光軸方向の一方側へ前記素子ホルダを付勢する付勢部材とを備え、
前記レンズ鏡筒には、前記ネジ形成部材が挿入される挿入穴が形成され、
前記ネジ形成部材は、固定用ネジまたは接着剤によって前記レンズ鏡筒に固定されていることを特徴とする撮像装置。
【請求項２】
前記挿入穴の内周面と前記ネジ形成部材の外周面との間には、隙間が形成されていることを特徴とする請求項１記載の撮像装置。
【請求項３】
前記ネジ形成部材は、前記固定用ネジによって前記レンズ鏡筒に固定され、
前記レンズ鏡筒には、前記光軸方向で前記固定用ネジの軸部が挿通されるとともに前記挿入穴の内径よりも内径が小さくかつ前記光軸方向で前記挿入穴に繋がる小径穴が形成され、
前記光軸方向における前記ネジ形成部材の一端側に前記調整用ネジが螺合し、前記光軸方向における前記ネジ形成部材の他端側に前記固定用ネジが螺合していることを特徴とする請求項１または２記載の撮像装置。
【請求項４】
前記挿入穴と前記小径穴との境界には、前記光軸方向に直交する平面状の境界面が形成され、
前記光軸方向における前記ネジ形成部材の一端面は、前記境界面に当接していることを特徴とする請求項３記載の撮像装置。
【請求項５】
前記ネジ形成部材に対する前記固定用ネジの締め付けトルクは、前記ネジ形成部材に対する前記調整用ネジの回転トルクよりも大きくなっていることを特徴とする請求項３または４記載の撮像装置。
【請求項６】
前記レンズ鏡筒には、前記光軸方向に直交する平面状に形成されるとともに前記固定用ネジの頭部が接触するネジ接触面が形成されていることを特徴とする請求項３から５のいずれかに記載の撮像装置。
【請求項７】
前記ネジ形成部材は、前記光軸方向を回動の軸方向とする前記ネジ形成部材の回動を防止するための回動防止部を備えることを特徴とする請求項１から６のいずれかに記載の撮像装置。
【請求項８】
前記回動防止部は、前記光軸方向に直交する方向へ広がる多角形の平板状の鍔部であることを特徴とする請求項７記載の撮像装置。
【請求項９】
前記ネジ形成部材の全体が前記挿入穴の中に配置されていることを特徴とする請求項１から８のいずれかに記載の撮像装置。
【発明の詳細な説明】
【技術分野】
【０００１】
本発明は、レンズと撮像素子とを備える撮像装置に関する。
【背景技術】
【０００２】
従来、レンズを有するレンズユニットと、撮像素子を有するセンサアッシーとを備える撮像装置が知られている（たとえば、特許文献１参照）。特許文献１に記載の撮像装置は、レンズの光軸に対する撮像素子の撮像面の傾きを調整するための調整ネジ部材と、調整ネジ部材にセンサアッシーを固定するための固定ネジとを備えている。センサアッシーは、撮像素子が固定されるセンサプレートと、センサプレートに固定された状態の撮像素子が搭載されるセンサ基板とを備えている。センサプレートには、固定ネジの軸が挿通される取付穴が形成されている。
【０００３】
特許文献１に記載の撮像装置では、調整ネジ部材は、段付きの円柱状に形成されており、大径部と、大径部よりも外径の小さい小径部とから構成されている。調整ネジ部材は、金属で形成されている。小径部側には、固定ネジが螺合するメネジが形成されている。大径部の外周面には、オネジが形成されている。レンズユニットには、調整ネジ部材の大径部がねじ込まれる組込穴が形成されている。レンズユニットの、組立穴が形成される部分は、樹脂で形成されている。調整ネジ部材の大径部の外径は、組込穴の内径よりも若干大きくなっている。
【０００４】
特許文献１に記載の撮像装置では、調整ネジ部材の大径部が組込穴に組み込まれるときに、組込穴の内周面にメネジが形成される。すなわち、組込穴の内周面には、セルフタッピングによってメネジが形成される。また、特許文献１に記載の撮像装置では、固定ネジを緩めた状態で調整ネジ部材を回すことで、レンズの光軸に対する撮像素子の撮像面の傾きが調整される。
【先行技術文献】
【特許文献】
【０００５】
【特許文献１】特開２０１７−４４９３６号公報
【発明の概要】
【発明が解決しようとする課題】
【０００６】
特許文献１に記載の撮像装置では、調整ネジ部材は、金属で形成され、レンズユニットの、組立穴が形成された部分は、樹脂で形成されている。また、この撮像装置では、レンズユニットの組込穴に組み込まれる調整ネジ部材の大径部の外径が組込穴の内径よりも大きくなっている。そのため、特許文献１に記載の撮像装置では、調整ネジ部材の大径部を組込穴に組み込むときに、組込穴の径方向の外側に広がる外力が組込穴の内周面に作用して、レンズユニットの、組立穴が形成された部分が割れるおそれがある。
【０００７】
そこで、本発明の課題は、レンズの光軸に対する撮像素子の撮像面の傾きを調整するための金属製のネジ形成部材が、レンズを保持する樹脂製のレンズ鏡筒に固定されていても、ネジ形成部材をレンズ鏡筒に固定するときのレンズ鏡筒の割れを防止することが可能な撮像装置を提供することにある。
【課題を解決するための手段】
【０００８】
上記の課題を解決するため、本発明の撮像装置は、レンズを保持する樹脂製のレンズ鏡筒と、撮像素子を保持するとともにレンズの光軸方向におけるレンズ鏡筒の一端側に取り付けられる素子ホルダと、レンズの光軸に対する撮像素子の撮像面の傾きを調整するための複数の調整機構とを備え、調整機構は、メネジが形成されるとともにレンズ鏡筒に固定される金属製のネジ形成部材と、光軸方向で素子ホルダに挿通されるとともにメネジに螺合する調整用ネジと、レンズ鏡筒に対して光軸方向の一方側へ素子ホルダを付勢する付勢部材とを備え、レンズ鏡筒には、ネジ形成部材が挿入される挿入穴が形成され、ネジ形成部材は、固定用ネジまたは接着剤によってレンズ鏡筒に固定されていることを特徴とする。
【０００９】
本発明の撮像装置では、レンズの光軸に対する撮像素子の撮像面の傾きを調整するための調整機構は、レンズ鏡筒に固定される金属製のネジ形成部材を備えており、樹脂製のレンズ鏡筒には、ネジ形成部材が挿入される挿入穴が形成されている。また、本発明では、ネジ形成部材は、固定用ネジまたは接着剤によってレンズ鏡筒に固定されている。そのため、本発明では、挿入穴の内径とネジ形成部材の外径とが等しくなっていても、あるいは、挿入穴の内径がネジ形成部材の外径より大きくなっていても、レンズ鏡筒にネジ形成部材を固定することが可能になる。したがって、本発明では、挿入穴の径方向の外側に広がる外力が挿入穴の内周面に作用しないように、ネジ形成部材を挿入穴に挿入してレンズ鏡筒に固定することが可能になる。その結果、本発明では、金属製のネジ形成部材が樹脂製のレンズ鏡筒に固定されていても、ネジ形成部材をレンズ鏡筒に固定するときのレンズ鏡筒の割れを防止することが可能になる。
【００１０】
なお、撮像素子の撮像面の傾きを調整するときの撮像面の傾きの調整量は多くないため、撮像面の傾きを調整するためのネジ形成部材のメネジおよび調整用ネジのオネジのピッチは必然的に小さくなる。ピッチの小さいネジは摩耗に弱く、特に樹脂部品に形成されたメネジに金属部品に形成されたオネジを螺合させてネジの締緩を行うと、メネジのネジ山がオネジとの摩擦により潰れる恐れがある。しかしながら、本発明では、メネジが形成されるネジ形成部材が金属製であるため、ネジ形成部材と調整用ネジとを締緩させて、撮像面の傾きの調整を繰り返し行っても、ネジ形成部材のメネジのネジ山の潰れを防止することが可能になる。
【００１１】
本発明において、挿入穴の内周面とネジ形成部材の外周面との間には、隙間が形成されていることが好ましい。このように構成すると、ネジ形成部材を挿入穴に挿入するときに、挿入穴の径方向の外側に広がる外力が挿入穴の内周面に作用しない。したがって、ネジ形成部材をレンズ鏡筒に固定するときのレンズ鏡筒の割れを確実に防止することが可能になる。
【００１２】
本発明において、ネジ形成部材は、固定用ネジによってレンズ鏡筒に固定され、レンズ鏡筒には、光軸方向で固定用ネジの軸部が挿通されるとともに挿入穴の内径よりも内径が小さくかつ光軸方向で挿入穴に繋がる小径穴が形成され、光軸方向におけるネジ形成部材の一端側に調整用ネジが螺合し、光軸方向におけるネジ形成部材の他端側に固定用ネジが螺合していることが好ましい。このように構成すると、ネジ形成部材が接着剤によってレンズ鏡筒に固定されている場合と比較して、レンズ鏡筒へのネジ形成部材の固定作業が容易になる。また、このように構成すると、挿入穴と小径穴とが光軸方向で繋がっているため、小径穴が光軸方向に直交する方向で挿入穴に繋がっている場合と比較して、樹脂製のレンズ鏡筒を製造するための金型の構成を簡素化することが可能になる。
【００１３】
本発明において、挿入穴と小径穴との境界には、光軸方向に直交する平面状の境界面が形成され、光軸方向におけるネジ形成部材の一端面は、境界面に当接していることが好ましい。このように構成すると、境界面によって、光軸方向においてネジ形成部材を位置決めすることが可能になる。また、このように構成すると、境界面が光軸方向に直交しているため、ネジ形成部材の一端面が境界面に当接したときに、挿入穴の径方向の外側に広がる外力が挿入穴の内周面に作用しない。したがって、ネジ形成部材をレンズ鏡筒に固定するときのレンズ鏡筒の割れを効果的に防止することが可能になる。
【００１４】
なお、境界面が光軸方向に対して直交しておらず、光軸方向に直交する方向に対して傾斜するテーパー面になっている場合には、固定用ネジの締め付けによって、ネジ形成部材の一端面が境界面に所定の接触圧で接触したときに、挿入穴の径方向の外側に広がる外力が挿入穴の内周面に作用する。そのため、この場合には、固定用ネジを締め付けるほど、挿入穴の径方向の外側に広がる大きな外力が挿入穴の内周面に作用して、レンズ鏡筒の割れが発生するおそれが生じる。また、境界面に当接するネジ形成部材の一端面は、挿入穴の径方向の外側に広がる外力が挿入穴の内周面に作用しないように形成されていれば良く、たとえば、光軸方向に直交する平面状に形成されていることが好ましい。
【００１５】
本発明において、ネジ形成部材に対する固定用ネジの締め付けトルクは、ネジ形成部材に対する調整用ネジの回転トルクよりも大きくなっていることが好ましい。このように構成すると、調整用ネジを回転させたときの固定用ネジの緩みを防止することが可能になる。
【００１６】
本発明において、レンズ鏡筒には、たとえば、光軸方向に直交する平面状に形成されるとともに固定用ネジの頭部が接触するネジ接触面が形成されている。この場合には、固定用ネジの頭部が接触する面であるネジ接触面が光軸方向に直交する平面であるため、固定用ネジの頭部がネジ接触面に所定の接触圧で接触しても、挿入穴の径方向の外側に広がる外力が挿入穴の内周面に作用しない。したがって、ネジ形成部材をレンズ鏡筒に固定するときのレンズ鏡筒の割れを効果的に防止することが可能になる。
【００１７】
なお、ネジ接触面が光軸方向に対して直交しておらず、光軸方向に直交する方向に対して傾斜するテーパー面になっている場合には、固定用ネジの締め付けによって、固定用ネジの頭部がネジ接触面を所定の接触圧で接触したときに、挿入穴の径方向の外側に広がる外力が挿入穴の内周面に作用する。そのため、この場合には、固定用ネジを締め付けるほど、挿入穴の径方向の外側に広がる大きな外力が挿入穴の内周面に作用して、レンズ鏡筒の割れが発生するおそれが生じる。また、固定用ネジの座面（固定用ネジの頭部の、ネジ接触面に対向する面）は、挿入穴の径方向の外側に広がる外力が挿入穴の内周面に作用しないように形成されていれば良く、たとえば、光軸方向に直交する平面状に形成されていることが好ましい。
【００１８】
本発明において、ネジ形成部材は、光軸方向を回動の軸方向とするネジ形成部材の回動を防止するための回動防止部を備えることが好ましい。このように構成すると、調整用ネジを回転させたときの、ネジ形成部材の共回りを防止することが可能になる。
【００１９】
本発明において、回動防止部は、たとえば、光軸方向に直交する方向へ広がる多角形の平板状の鍔部である。
【００２０】
本発明において、ネジ形成部材の全体が挿入穴の中に配置されていることが好ましい。このように構成すると、光軸方向に対するネジ形成部材の倒れを抑制することが可能になる。
【発明の効果】
【００２１】
以上のように、本発明の撮像装置では、レンズの光軸に対する撮像素子の撮像面の傾きを調整するための金属製のネジ形成部材が、レンズを保持する樹脂製のレンズ鏡筒に固定されていても、ネジ形成部材をレンズ鏡筒に固定するときのレンズ鏡筒の割れを防止することが可能になる。
【図面の簡単な説明】
【００２２】
【図１】本発明の実施の形態にかかる撮像装置の斜視図である。
【図２】図１（Ｂ）に示す撮像装置から撮像素子および素子ホルダ等を取り外した状態の斜視図である。
【図３】図２に示すネジ形成部材の斜視図である。
【図４】図１（Ａ）のＥ−Ｅ断面の断面図である。
【発明を実施するための形態】
【００２３】
以下、図面を参照しながら、本発明の実施の形態を説明する。
【００２４】
（撮像装置の概略構成）
図１は、本発明の実施の形態にかかる撮像装置１の斜視図である。図２は、図１（Ｂ）に示す撮像装置１から撮像素子４および素子ホルダ５等を取り外した状態の斜視図である。
【００２５】
本形態の撮像装置１は、レンズ２と、レンズ２を保持するレンズ鏡筒３と、Ｃ−ＭＯＳイメージセンサ等の撮像素子４と、撮像素子４を保持する素子ホルダ５とを備えている。レンズ２の光軸の方向（光軸方向）の一方側を被写体側とし、光軸方向の他方側を反被写体側（結像側）とすると、レンズ鏡筒３は、被写体側に配置され、素子ホルダ５は、反被写体側に配置されている。以下の説明では、被写体側（図１等のＺ１方向側）を「前」側とし、反被写体側（図１等のＺ２方向側）を「後ろ」側とする。
【００２６】
また、撮像装置１は、レンズ２の光軸に対する撮像素子４の撮像面の傾きを調整するための複数の調整機構７を備えている。本形態の撮像装置１は、３個の調整機構７を備えている。３個の調整機構７は、前後方向から見たときに、レンズ２の光軸を中心とする周方向に対して、略同一の角度間隔を隔てて配置されている。また、３個の調整機構７は、前後方向から見たときに、撮像素子４を囲むように撮像素子４よりも外周側に配置されている。
【００２７】
調整機構７は、メネジ８ａが形成されるとともにレンズ鏡筒３に固定されるネジ形成部材８と、ネジ形成部材８のメネジ８ａに螺合する調整用ネジ９と、ネジ形成部材８をレンズ鏡筒３に固定するための固定用ネジ１０と、レンズ鏡筒３に対して素子ホルダ５を光軸方向（前後方向）の他方側（反被写体側・後ろ側）へ付勢する付勢部材としての圧縮コイルバネ１１とを備えている。調整機構７の具体的な構成については後述する。
【００２８】
レンズ鏡筒３は、樹脂で形成されている。レンズ鏡筒３は、筒状に形成されており、レンズ鏡筒３の内周側にレンズ２が配置されている。レンズ鏡筒３は、ネジ形成部材８を保持する保持部３ａを備えている。保持部３ａは、レンズ鏡筒３の後端部近傍の側面部から径方向の外側へ突出している。また、保持部３ａは、３箇所に形成されており、前後方向から見たときに、３個の保持部３ａは、レンズ２の光軸を中心とする周方向に対して、略同一の角度間隔を隔てて配置されている。また、３個の保持部３ａは、前後方向から見たときに、撮像素子４を囲むように撮像素子４よりも外周側に配置されている。保持部３ａの具体的な構成については後述する。
【００２９】
素子ホルダ５は、樹脂で形成されている。素子ホルダ５は、長方形の平板状に形成されており、素子ホルダ５の厚さ方向と前後方向とが一致するように配置されている。素子ホルダ５の中心には、撮像素子４が配置される長方形状の貫通穴５ａが形成されている。素子ホルダ５は、レンズ鏡筒３の後端部に取り付けられている。すなわち、素子ホルダ５は、光軸方向におけるレンズ鏡筒３の他方側（反被写体側・後ろ側）に取り付けられている。
【００３０】
素子ホルダ５には、調整用ネジ９が挿通される貫通穴５ｂ（図４参照）が形成されている。貫通穴５ｂは、前後方向で素子ホルダ５を貫通する丸穴である。貫通穴５ｂは、３箇所に形成されている。前後方向から見たときに、３個の貫通穴５ｂは、レンズ鏡筒３の保持部３ａに対応する位置に配置されている。具体的には、３個の貫通穴５ｂは、レンズ２の光軸を中心とする周方向に対して、略同一の角度間隔を隔てて配置されている。また、３個の貫通穴５ｂは、前後方向から見たときに、撮像素子４を囲むように撮像素子４よりも外周側に配置されている。貫通穴５ｂの内径は、調整用ネジ９の軸部９ａ（図４参照）の外径よりも大きくなっている。また、貫通穴５ｂの内径は、調整用ネジ９の頭部９ｂの外径よりも小さくなっている。貫通穴５ｂには、調整用ネジ９の軸部９ａが後ろ側から挿通されている。
【００３１】
（調整機構および保持部の構成）
図３は、図２に示すネジ形成部材８の斜視図である。図４は、図１（Ａ）のＥ−Ｅ断面の断面図である。
【００３２】
レンズ鏡筒３の保持部３ａの前面および後面は、前後方向（光軸方向）に直交する平面となっている。保持部３ａには、前後方向で保持部３ａを貫通する貫通穴３ｂが形成されている。保持部３ａの、後ろ半分の部分は、略円筒状に形成される円筒部３ｃとなっている。円筒部３ｃは、円筒部３ｃの軸方向と前後方向とが一致するように配置されている。円筒部３ｃは、圧縮コイルバネ１１の内周側に配置されている。
【００３３】
貫通穴３ｂは、ネジ形成部材８が挿入される挿入穴３ｄと、挿入穴３ｄの内径よりも内径が小さい小径穴３ｅとから構成されている。すなわち、レンズ鏡筒３には、ネジ形成部材８が挿入される挿入穴３ｄが形成されている。挿入穴３ｄと小径穴３ｅとは、前後方向（光軸方向）で繋がっている。前後方向における挿入穴３ｄの長さは、前後方向における小径穴３ｅの長さよりも長くなっている。たとえば、前後方向における挿入穴３ｄの長さは、前後方向における小径穴３ｅの長さの５倍程度となっている。挿入穴３ｄの長さを小径穴３ｅの長さに対して十分に長くすることによって、挿入穴３ｄに挿入されるネジ形成部材８の長さを十分に確保することが可能になる。また、挿入穴３ｄへ挿入されるネジ形成部材８の長さを十分に確保することで、調整用ネジ９および固定用ネジ１０と、ネジ形成部材８との螺合量を確保することが可能になる。
【００３４】
小径穴３ｅは、前後方向から見たときの内周面の形状が円形となる丸穴である。小径穴３ｅの内径は、固定用ネジ１０の軸部１０ａの外径よりも大きくなっている。また、小径穴３ｅの内径は、固定用ネジ１０の頭部１０ｂの外径よりも小さくなっている。挿入穴３ｄは、前後方向から見たときの内周面の形状が円形となる第１挿入穴３ｆと、前後方向から見たときの内周面の形状が正方形状となる第２挿入穴３ｇとから構成されている。第１挿入穴３ｆと第２挿入穴３ｇとは、前後方向（光軸方向）で繋がっている。前後方向における第１挿入穴３ｆの長さは、前後方向における第２挿入穴３ｇの長さよりも長くなっている。たとえば、前後方向における第１挿入穴３ｆの長さは、前後方向における第２挿入穴３ｇの長さの４倍程度となっている。
【００３５】
後述するように、第２挿入穴３ｇの内寸（一辺の寸法）は、第１挿入穴３ｆの内径と比べて大きく形成されている。そのため、第１挿入穴３ｆの前後方向の長さを第２挿入穴３ｇの前後方向の長さに対して十分に長くすることによって、第１挿入穴３ｆに対する第２挿入穴３ｇの割合を少なくすることが可能になり、その結果、保持部３ａの径方向の厚みを確保して保持部３ａの強度の低下を抑制することが可能になる。
【００３６】
第１挿入穴３ｆは、第２挿入穴３ｇの前側に配置され、小径穴３ｅは、第１挿入穴３ｆの前側に配置されている。前後方向から見たときに、小径穴３ｅの中心と、第１挿入穴３ｆの中心と、第２挿入穴３ｇの中心とは一致している。第１挿入穴３ｆと小径穴３ｅとの境界（すなわち、挿入穴３ｄと小径穴３ｅとの境界）には、前後方向（光軸方向）に直交する平面状の境界面３ｈが形成されている。境界面３ｈは、円環状に形成されている。また、前後方向から見たときに、正方形状をなす第２挿入穴３ｇの一辺の長さは、第１挿入穴３ｆの直径よりも大きくなっている。すなわち、第２挿入穴３ｇの内寸は、第１挿入穴３ｆの内径よりも大きくなっている。
【００３７】
ネジ形成部材８は、金属で形成されている。ネジ形成部材８は、円筒状の円筒部８ｂと、円筒部８ｂの一端に繋がる鍔部８ｃとを有する鍔付きの円筒状に形成されている。ネジ形成部材８は、円筒部８ｂの軸方向と前後方向とが一致するように配置されている。ネジ形成部材８の内周面には、上述のメネジ８ａが形成されている。本形態では、前後方向におけるネジ形成部材８の内周面の全域にメネジ８ａが形成されている。円筒部８ｂの外径は、小径穴３ｅの内径よりも大きくなっている。また、円筒部８ｂの外径は、第１挿入穴３ｆの内径よりもわずかに小さく、かつ、小径部３ｅの内径よりは大きくなっている。メネジ８ａが形成されるネジ形成部材８の内径は、小径穴３ｅの内径よりも小さくなっている。
【００３８】
鍔部８ｃは、円筒部８ｂの後端に繋がっている。鍔部８ｃは、円筒部８ｂの後端から円筒部８ｂの径方向（すなわち、光軸方向に直交する方向）に広がる多角形の平板状に形成されている。具体的には、鍔部８ｃは、略正方形の平板状に形成されている。略正方形に形成される鍔部８ｃの一辺の長さは、前後方向から見たときの内周面の形状が正方形状となる第２挿入穴３ｇの一辺の長さよりもわずかに短くなっている。
【００３９】
ネジ形成部材８は、固定用ネジ１０によって保持部３ａに固定されている。すなわち、ネジ形成部材８は、固定用ネジ１０によってレンズ鏡筒３に固定されている。固定用ネジ１０の軸部１０ａは、前側から小径穴３ｅに挿通されている。すなわち、小径穴３ｅには、前後方向（光軸方向）で固定用ネジ１０の軸部１０ａが挿通されている。固定用ネジ１０の軸部１０ａの外周面に形成されるオネジは、ネジ形成部材８の内周面に形成されるメネジ８ａに螺合している。具体的には、軸部１０ａのオネジは、ネジ形成部材８の前端側部分のメネジ８ａに螺合している。
【００４０】
軸部１０ａのオネジとメネジ８ａとの間には、緩み止め用の接着剤であるネジロックが塗布されている。ネジロックによってネジ形成部材８に対して固定用ネジ１０が固定されているため、本形態では、調整用ネジ９の回転トルクに比べて固定用ネジ１０の締め付けトルクが大きくなっている。また、調整用ネジ９の回転トルクに比べて固定用ネジ１０の締め付けトルクが大きくなっているため、撮像素子４の傾き調整時に調整用ネジ９のねじ込み量を調整したとしても、固定用ネジ１０のネジ形成部材８に対する螺合が緩むおそれがなくなる。
【００４１】
固定用ネジ１０の頭部１０ｂの後面は、前後方向に直交する平面である保持部３ａの前面に接触しており、軸部１０ａの前端部は、小径穴３ｅの中に配置されている。本形態の保持部３ａの前面は、前後方向（光軸方向）に直交する平面状に形成されるとともに固定用ネジ１０の頭部１０ｂが接触するネジ接触面３ｊとなっている。
【００４２】
保持部３ａに固定されるネジ形成部材８の前端面は、境界面３ｈに当接している。すなわち、前後方向（光軸方向）におけるネジ形成部材８の一端面は、境界面３ｈに当接している。保持部３ａに固定されるネジ形成部材８の全体は、挿入穴３ｄの中に配置されている。本形態では、ネジ形成部材８の後端は、挿入穴３ｄの後端よりもわずかに前側に配置されている。ネジ形成部材８の鍔部８ｃは、第２挿入穴３ｇの中に配置されている。円筒部８ｂの後端部を除いた円筒部８ｂの大半部分は、第１挿入穴３ｆの中に配置されている。本形態では、挿入穴３ｄの後ろ側から挿入穴３ｄにネジ形成部材８が挿入される。上述のように、第２挿入穴３ｇの内径が第１挿入穴３ｆの内径よりも大きくなっているため、本形態では、挿入穴３ｄの後ろ側から挿入穴３ｄにネジ形成部材８を挿入しやすくなっている。
【００４３】
また、上記の構成により、ネジ形成部材８を固定用ネジ１０でレンズ鏡筒３に対して固定したときに、ネジ形成部材８の前端面と境界面３ｈとが当接すると、レンズ鏡筒３に対するネジ形成部材８の傾きが規制される。なお、ネジ形成部材８の前端面と境界面３ｈとが当接している状態では、鍔部８ｃの上面と、鍔部８ｃの上面と向かい合っている第２挿入穴３ｇの下側を向いた面との間には隙間が形成されている。そのため、ネジ形成部材８の前端面と境界面３ｈとを確実に当接させることが可能になっている。
【００４４】
また、ネジ形成部材８が挿入穴３ｄの中に配置されることで、ネジ形成部材８のレンズ鏡筒３に対する大まかな位置決めが行われている。また、ネジ形成部材８を挿入穴３ｄの内周面で支えることによって、固定用ネジ１０による固定が困難になるほどのネジ形成部材８の倒れや傾きが抑制されている。そのため、ネジ形成部材８を固定用ネジ１０によってレンズ鏡筒３に対して固定する際に、固定用ネジ１０によるネジ形成部材８と保持部３ａとの固定をスムーズに行うことが可能になっている。
【００４５】
上述のように、円筒部８ｂの外径は、第１挿入穴３ｆの内径よりもわずかに小さくなっているため、円筒部８ｂの外周面と第１挿入穴３ｆの内周面との間には、わずかな隙間が形成されている。本形態では、円筒部８ｂの外周面と第１挿入穴３ｆの内周面との間に、寸法公差分の隙間が形成されている。具体的には、ネジ形成部材８の円筒部８ｂの外径寸法に設定されている公差の上限値で円筒部８ｂが形成され、かつ、第１挿入穴３ｆの内周面の内径寸法に設定されている公差の下限値で第１挿入穴３ｆが形成されていても、ネジ形成部材８が第１挿入穴３ｆに圧入されないように、円筒部８ｂの外径および第１挿入穴３ｆの内径が設定されている。
【００４６】
また、上述のように、鍔部８ｃの一辺の長さは、第２挿入穴３ｇの一辺の長さよりもわずかに短くなっているため、第２挿入穴３ｇの中に配置される円筒部８ｂの後端部の外周面および鍔部８ｃの外周面と、第２挿入穴３ｇの内周面との間には隙間が形成されている。すなわち、本形態では、挿入穴３ｄの内周面とネジ形成部材８の外周面との間に隙間が形成されている。
【００４７】
上記の構成によって、ネジ形成部材８を挿入穴３ｄに対して圧入する必要がなくなり、保持部３ａの破損を抑制することが可能となる。ちなみに、第１挿入穴３ｆは、円筒部８ｂの、光軸方向と直交する方向の大まか位置決めのためにも使用されるため、円筒部８ｄと第１挿入穴３ｆとの間の隙間は、寸法公差分の隙間が形成可能な範囲において、可能な限り小さい方が好ましい。一方、第２挿入穴３ｇは、鍔部８ｃの回転規制として使用されるため、第２挿入穴３ｇの内寸（一辺の寸法）が鍔部８ｃの最大寸法よりも小さければ良い。
【００４８】
また、固定用ネジ１０のオネジ１０ａの外径と小径部３ｅの内径との間の隙間は、固定用ネジ１０とネジ形成部材８との螺合量の調整時にオネジ１０ａと小径部３ｅとが接触しない程度に大きく形成される。よって、上記３つの隙間の中では、円筒部８ｂと第１挿入穴３ｆとの間の隙間が他の２つの隙間と比べて小さく形成されている。円筒部８ｂと第１挿入穴３ｆとの間の隙間を小さく形成することで、固定用ネジ１０で固定される前のネジ形成部材８に、第１挿入穴３ｆの内部での傾きや位置ズレの発生を抑制することが可能となる。また、第１挿入穴３ｆの光軸方向の長さは、小径部３ｅの光軸方向の長さおよび第２挿入穴３ｇの光軸方向の長さよりも長くなっているため、上記の他の２つの隙間に比べて円筒部８ｂと第１挿入穴３ｆとの間の隙間を小さく形成することで、位置決め時の傾き等をより抑制することが可能になる。
【００４９】
第２挿入穴３ｇの中に配置される鍔部８ｃは、前後方向を回動の軸方向とするネジ形成部材８の回動を防止する機能を果たしている。本形態の鍔部８ｃは、前後方向（光軸方向）を回動の軸方向とするネジ形成部材８の回動を防止するための回動防止部となっている。
【００５０】
上述のように、調整用ネジ９の軸部９ａは、素子ホルダ５の貫通穴５ｂに後ろ側から挿通されている。すなわち、調整用ネジ９は、前後方向（光軸方向）で素子ホルダ５に挿通されている。調整用ネジ９の頭部９ｂの前面は、素子ホルダ５の後面に接触しており、軸部９ａの後端部は、貫通穴５ｂの中に配置されている。調整用ネジ９の軸部９ａの外周面に形成されるオネジは、ネジ形成部材８の内周面に形成されるメネジ８ａに螺合している。具体的には、軸部９ａのオネジは、ネジ形成部材８の後端側部分のメネジ８ａに螺合している。
【００５１】
このように、ネジ形成部材８の後端側部分のメネジ８ａには軸部９ａのオネジが螺合し、また、上述のように、ネジ形成部材８の前端側部分のメネジ８ａには固定用ネジ１０の軸部１０ａのオネジが螺合している。すなわち、本形態では、前後方向（光軸方向）におけるネジ形成部材８の一端側に調整用ネジ９が螺合し、前後方向（光軸方向）におけるネジ形成部材８の他端側に固定用ネジ１０が螺合している。
【００５２】
圧縮コイルバネ１１の内周側には、上述のように、円筒部３ｃが配置されている。圧縮コイルバネ１１の後端は、素子ホルダ５の前面に接触し、圧縮コイルバネ１１の前端は、円筒部３ｃに形成される円環状の段差面３ｋに接触している。段差面３ｋは、前後方向に直交する略円環状の平面である。圧縮コイルバネ１１は、レンズ鏡筒３に対して素子ホルダ５を後ろ側へ付勢している。すなわち、圧縮コイルバネ１１は、素子ホルダ５に対してレンズ鏡筒３を前側に付勢している。
【００５３】
撮像装置１では、３個の調整機構７において、ネジ形成部材８に対する調整用ネジ９のねじ込み量を調整することで、レンズ２の光軸に対する撮像素子４の撮像面の傾きが調整される。本形態では、上述のように、ネジ形成部材８に対する固定用ネジ１０の締め付けトルクは、ネジ形成部材８に対する調整用ネジ９の回転トルクよりも大きくなっている。
【００５４】
（本形態の主な効果）
以上説明したように、本形態の撮像装置１は、レンズ２を保持する樹脂製のレンズ鏡筒３と、撮像素子４を保持するとともにレンズ２の光軸方向におけるレンズ鏡筒３の一端側に取り付けられる素子ホルダ５と、レンズ２の光軸に対する撮像素子４の撮像面の傾きを調整するための複数の調整機構７とを備えている。調整機構７は、メネジ８ａが形成されるとともにレンズ鏡筒３に固定される金属製のネジ形成部材８と、光軸方向で素子ホルダ５に挿通されるとともにメネジ８ａに螺合する調整用ネジ９と、レンズ鏡筒３に対して光軸方向の一方側へ素子ホルダ５を付勢する圧縮コイルバネ１１とを備えている。また、レンズ鏡筒３には、ネジ形成部材８が挿入される挿入穴３ｄが形成され、ネジ形成部材８は、固定用ネジ１０によってレンズ鏡筒３に固定されている。
【００５５】
このように本形態では、レンズ２の光軸に対する撮像素子４の撮像面の傾きを調整するための調整機構７は、レンズ鏡筒３に固定される金属製のネジ形成部材８を備えており、樹脂製のレンズ鏡筒３には、ネジ形成部材８が挿入される挿入穴３ｄが形成されている。また、本形態では、ネジ形成部材８は、固定用ネジ１０によってレンズ鏡筒３に固定されている。そのため、本形態では、挿入穴３ｄの内径がネジ形成部材８の外径より大きくなっていても、レンズ鏡筒３にネジ形成部材８を固定することが可能になる。したがって、本形態では、挿入穴３ｄの径方向の外側に広がる外力が挿入穴３ｄの内周面に作用しないように、ネジ形成部材８を挿入穴３ｄに挿入してレンズ鏡筒３に固定することが可能になる。その結果、本形態では、金属製のネジ形成部材８が樹脂製のレンズ鏡筒３に固定されていても、ネジ形成部材８をレンズ鏡筒３に固定するときのレンズ鏡筒３の割れを防止することが可能になる。
【００５６】
本形態のように、挿入穴３ｄの内周面とネジ形成部材８の外周面との間に、隙間が形成されていることが好ましい。このようにすると、ネジ形成部材８を挿入穴３ｄに挿入するときに、挿入穴３ｄの径方向の外側に広がる外力が挿入穴３ｄの内周面に作用しない。したがって、ネジ形成部材８をレンズ鏡筒３に固定するときのレンズ鏡筒３の割れを確実に防止することが可能になる。
【００５７】
本形態のように、ネジ形成部材８は、固定用ネジ１０によってレンズ鏡筒３に固定され、レンズ鏡筒３には、光軸方向で固定用ネジ１０の軸部１０ａが挿通されるとともに挿入穴３ｄの内径よりも内径が小さくかつ光軸方向で挿入穴３ｄに繋がる小径穴３ｅが形成され、光軸方向におけるネジ形成部材８の一端側に調整用ネジ９が螺合し、光軸方向におけるネジ形成部材８の他端側に固定用ネジ１０が螺合していることが好ましい。このようにすると、ネジ形成部材８が接着剤によってレンズ鏡筒３に固定されている場合と比較して、レンズ鏡筒３へのネジ形成部材８の固定作業が容易になる。また、このようにすると、挿入穴３ｄと小径穴３ｅとが光軸方向で繋がっているため、小径穴３ｅが光軸方向に直交する方向で挿入穴３ｄに繋がっている場合と比較して、樹脂製のレンズ鏡筒３を製造するための金型の構成を簡素化することが可能になる。
【００５８】
本形態のように、挿入穴３ｄと小径穴３ｅとの境界に、光軸方向に直交する平面状の境界面３ｈが形成され、光軸方向におけるネジ形成部材８の一端面は、境界面３ｈに当接していることが好ましい。このようにすると、境界面３ｈによって、光軸方向においてネジ形成部材８を位置決めすることが可能になる。また、このようにすると、境界面３ｈが光軸方向に直交しているため、ネジ形成部材８の一端面が境界面３ｈに当接したときに、挿入穴３ｄの径方向の外側に広がる外力が挿入穴３ｄの内周面に作用しない。したがって、ネジ形成部材８をレンズ鏡筒３に固定するときのレンズ鏡筒３の割れを効果的に防止することが可能になる。
【００５９】
本形態のように、ネジ形成部材８に対する固定用ネジ１０の締め付けトルクは、ネジ形成部材８に対する調整用ネジ９の回転トルクよりも大きくなっていることが好ましい。このようにすると、調整用ネジ９を回転させたときの固定用ネジ１０の緩みを防止することが可能になる。
【００６０】
本形態のように、レンズ鏡筒３に、光軸方向に直交する平面状に形成されるとともに固定用ネジ１０の頭部１０ｂが接触するネジ接触面３ｊが形成されていることが好ましい。このようにすると、固定用ネジ１０の頭部１０ｂがネジ接触面３ｊに接触したときに、挿入穴３ｄの径方向の外側に広がる外力が挿入穴３ｄの内周面に作用しない。したがって、ネジ形成部材８をレンズ鏡筒３に固定するときのレンズ鏡筒３の割れを効果的に防止することが可能になる。
【００６１】
本形態のように、ネジ形成部材８は、光軸方向を回動の軸方向とするネジ形成部材８の回動を防止するための鍔部８ｃを備えていることが好ましい。このようにすると、調整用ネジ９を回転させたときの、ネジ形成部材８の共回りを防止することが可能になる。
【００６２】
本形態のように、ネジ形成部材８の全体が挿入穴３ｄの中に配置されていることが好ましい。このようにすると、光軸方向に対するネジ形成部材８の倒れを抑制することが可能になる。
【００６３】
（他の実施の形態）
上述した形態において、ネジ形成部材８に鍔部８ｃが形成されていなくても良い。この場合には、ネジ形成部材８の前後の区別がなくなるため、挿入穴３ｄへのネジ形成部材８の挿入作業が容易になる。また、ネジ形成部材８に鍔部８ｃが形成されていない場合には、ネジ形成部材８の全体が略四角柱状等の多角柱状に形成されていても良い。この場合には、前後方向から見たときの挿入穴３ｄの内周面の形状は、ネジ形成部材８の形状に応じた多角形状になっている。また、この場合には、ネジ形成部材８の全体が、光軸方向を回動の軸方向とするネジ形成部材８の回動を防止するための回動防止部となっている。
【００６４】
上述した形態において、前後方向におけるネジ形成部材８の内周面の全域にメネジ８ａが形成されていなくても良い。この場合には、ネジ形成部材８の内周面の前端側に、固定用ネジ１０が螺合するメネジが形成されるとともに、ネジ形成部材８の内周面の後端側に、調整用ネジ９が螺合するメネジが形成されている。この場合には、ネジ形成部材８の内周面の前端側に形成されるメネジのピッチと、ネジ形成部材８の内周面の後端側に形成されるメネジのピッチとが異なっていても良い。また、ネジ形成部材８の前端側の内径と、ネジ形成部材８の後端側の内径とが異なっていても良い。
【００６５】
上述した形態において、固定用ネジ１０の軸部１０ａが挿通される小径穴３ｅは、光軸方向に直交する方向で挿入穴３ｄに繋がっていても良い。すなわち、光軸方向に直交する方向と軸部１０ａの軸方向とが一致するように固定用ネジ１０が配置されていても良い。この場合には、たとえば、ネジ形成部材８の円筒部８ｂの径方向で円筒部８ｂを貫通する貫通穴が形成されており、この貫通穴の内周面に、軸部１０ａに形成されるオネジが螺合するメネジが形成されている。
【００６６】
上述した形態において、ネジ形成部材８の後端が挿入穴３ｄの後端よりも後ろ側に配置されていて、ネジ形成部材８の後端側の一部が挿入穴３ｄの中に配置されていなくても良い。また、上述した形態において、円筒部８ｂの外径は、第１挿入穴３ｆの内径と等しくなっていても良い。さらに、上述した形態において、レンズ鏡筒３に対して素子ホルダ５を後ろ側に付勢する付勢部材は、引張りコイルバネや板バネ等のバネ部材であっても良い。また、上述した形態において、ネジ形成部材８は、接着剤によってレンズ鏡筒３に固定されていても良い。すなわち、挿入穴３ｄに挿入されたネジ形成部材８は、接着剤によってレンズ鏡筒３に固定されていても良い。
【００６７】
なお、上述した形態において、挿入穴３ｄの径方向の内側にネジ形成部材８を付勢する板バネを挿入穴３ｄの中に配置するとともに、この板バネの付勢力によってネジ形成部材８をレンズ鏡筒３に固定することも可能である。また、上述した形態において、固定用ネジまたは接着剤によって、レンズ鏡筒３の外周面にネジ形成部材８を固定することも可能である。さらに、上述した形態において、ネジ形成部材８が挿入される挿入穴を素子ホルダ５に形成するとともに、固定用ネジまたは接着剤によって、素子ホルダ５にネジ形成部材８を固定することも可能である。この場合には、保持部３ａに形成される貫通穴に調整用ネジ９が前側から挿通されて、調整用ネジ９のオネジがネジ形成部材８のメネジ８ａに螺合する。
【符号の説明】
【００６８】
１  撮像装置
２  レンズ
３  レンズ鏡筒
３ｄ  挿入穴
３ｅ  小径穴
３ｈ  境界面
３ｊ  ネジ接触面
４  撮像素子
５  素子ホルダ
７  調整機構
８  ネジ形成部材
８ａ  メネジ
８ｃ  鍔部（回動防止部）
９  調整用ネジ
１０  固定用ネジ
１０ａ  軸部
１１  圧縮コイルバネ（付勢部材）
【図１】
2019184653.tif 000003
【図２】
2019184653.tif 000004
【図３】
2019184653.tif 000005
【図４】
2019184653.tif 000006